(57)【要約】【課題】環境負荷が小さく意匠性にも優れるロウソクを提供する。【解決手段】本発明の一の態様に係るロウソク１は、透明かつ自立可能なロウソク本体２と、ロウソク本体２内に配置された装飾材３と、を備える。ロウソク本体２が、所望の形状の外表面を有するとよい。装飾材３が、プリザーブドフラワー、ドライフラワー、押し花、植物、花からなる群から選択された少なくとも１種であるとよい。さらに燃焼用の芯５を備えるとよく、芯５の中心から装飾材３までの最短距離と芯５の中心からロウソク１の外表面までの最短距離との比率としては、０．５以上０．９５以下がよい。芯５に取り付けられた消火部材１０を備えるとよい。装飾材３に感熱インキ又は感光インキが塗布されているとよい。【選択図】図１
2019112571.tif 000002
【特許請求の範囲】
【請求項１】
透明かつ自立可能なロウソク本体と、
上記ロウソク本体内に配置された装飾材と、を備えるロウソク。
【請求項２】
上記ロウソク本体が、所望の形状の外表面を有する請求項１に記載のロウソク。
【請求項３】
上記装飾材が、プリザーブドフラワー、ドライフラワー、押し花、植物、花からなる群から選択された少なくとも１種である請求項１又は請求項２に記載のロウソク。
【請求項４】
さらに燃焼用の芯を備え、
上記芯の中心から上記装飾材までの最短距離と上記芯の中心からロウソクの外表面までの最短距離との比率が、０．５以上０．９５以下である請求項１、請求項２又は請求項３に記載のロウソク。
【請求項５】
上記芯に取り付けられた消火部材を備える請求項１〜請求項４のいずれか１項に記載のロウソク。
【請求項６】
上記装飾材に感熱インキ又は感光インキが塗布されている請求項１〜請求項５のいずれか１項に記載のロウソク。
【発明の詳細な説明】
【技術分野】
【０００１】
本発明は、ロウソクに関し、より詳細にはプリザーブドフラワー、ドライフラワー、押し花、植物又は花が視認可能に内部に配置されたロウソクに関する。
【背景技術】
【０００２】
ロウソクの炎は、その周りの空気の微妙な流れにより揺らぎ、この揺らぎにより心身をリラックスさせるため、ロウソクは照明用として利用されるだけではなく観賞用としても愛好されている。
【０００３】
従来の観賞用ロウソクとしては、上部が開放された容器に燃焼材が収容されたものが開示されている（特表２０１５−５３０４３８号公報参照）。
【先行技術文献】
【特許文献】
【０００４】
【特許文献１】特表２０１５−５３０４３８号公報
【発明の概要】
【発明が解決しようとする課題】
【０００５】
しかしながら、上記従来のロウソクは容器を備えるため、この容器を廃棄処理する必要性から環境負荷が大きい上、意匠性にも劣る等の不都合もある。
【０００６】
本発明は、上記課題に鑑みてなされたものであり、その目的とするところは、環境負荷が小さく意匠性にも優れるロウソクを提供することにある。
【課題を解決するための手段】
【０００７】
上記課題を解決するため、本発明の一態様に係るロウソクは、透明かつ自立可能なロウソク本体と、上記ロウソク本体内に配置された装飾材と、を備えることを特徴とする。
【０００８】
当該ロウソクは、自立可能なロウソク本体を備えるため、容器を必要とせず、環境負荷が小さく、また容器が存在しないことから意匠性に優れる。
【０００９】
ここで、「透明」とは、全光線透過率が５０％以上を有することであり、全光線透過率は、ＪＩＳ  Ｋ  ７３６１−１（１９９７）に準拠して測定される。「透明」とは、無色透明だけでなく、半透明、有色透明等を含む概念である。また、「自立可能」とは、容器を用いることなく、それ自体で形状を保持することができることを意味する。
【００１０】
上記ロウソク本体が、所望の形状の外表面を有するとよい。このようにロウソク本体が所望の形状の外形を有することで、意匠性をさらに向上させることができる。
【００１１】
上記装飾材が、プリザーブドフラワー、ドライフラワー、押し花、植物、花からなる群から選択された少なくとも１種であるとよい。このように装飾材としてプリザーブドフラワー、ドライフラワー、押し花、植物、花を用いることで、ロウソクの意匠性をさらに向上させることができる。
【００１２】
さらに燃焼用の芯を備えるとよく、上記芯の中心から上記装飾材までの最短距離と上記芯の中心からロウソクの外表面までの最短距離との比率としては、０．５以上０．９５以下がよい。上記比率が下限未満であると、装飾材が焼失してしまうおそれがある。一方、上記比率が上限を超えると、ロウソクの製造容易性が低下するとともに、装飾材がロウソクの外表面から突出し意匠性が低下するおそれがある。
【００１３】
上記芯に取り付けられた消火部材をさらに備えるとよい。このように消火部材を備えることで、過剰な燃焼を抑制することができる。
【００１４】
上記装飾材に感熱インキ又は感光インキが塗布されているとよい。このように装飾材に感熱インキ又は感光インキを塗布することで、その変色により装飾材の焼失の可能性を周囲に伝達することができる。
【発明の効果】
【００１５】
以上説明したように、本発明によれば、環境負荷が小さく意匠性にも優れるロウソクを提供することができる。
【図面の簡単な説明】
【００１６】
【図１】図１は、第一実施形態に係るロウソクの概略斜視図である。
【図２】図２は、第一実施形態に係るロウソクの概略平面図である。
【図３】図３は、別の態様に係るロウソクの概略斜視図である。
【図４】図４は、別の態様に係るロウソクの概略平面図である。
【図５】図５は、芯の中心から装飾材までの最短距離（ｄ）と芯の中心からロウソクの外表面までの最短距離（Ｄ）との比率を説明するための図である。
【図６】図６は、第二実施形態に係るロウソクに使用される消火部材の概略断面図である。
【図７】図７は、ロウソクの製造工程を示す工程図である。
【発明を実施するための形態】
【００１７】
以下、適宜図面を参照しつつ、本発明の実施の形態を詳細に説明する。本実施の形態は、本発明の理解を容易にするためのものであって、本発明を限定するものではない。以下の説明では、必要に応じて特定の方向や位置を示す用語（例えば、「上」、「下」を含む用語）を用いるが、その用語の使用は図面を参照した発明の理解を容易にするためであって、それらの用語の意味によって本発明の技術的範囲は限定されない。また、同じ作用を奏する部材・部位には同じ符号を付して説明することがあり、重複する説明は省略または簡略化することがある。また、図面では、本発明の実施形態を説明しやすくするために模式化されており、製品として実際に提供される本発明のロウソクのサイズや縮尺を必ずしも正確に表していない場合がある。
【００１８】
＜第一実施形態＞
図１は、第一実施形態に係るロウソク１の概略斜視図であり、図２はその平面図である。図１及び図２に示すように、ロウソク１は、透明かつ自立可能なロウソク本体２と、ロウソク本体２内に配置された装飾材３と、を備える。第一実施形態に係るロウソク１によれば、自立可能なロウソク本体２を備えるため、容器を必要とせず、環境負荷を抑えることができる。また容器が存在しないことから意匠性に優れる。以下、ロウソクの各構成要素について詳細に説明する。
【００１９】
（ロウソク本体）
ロウソク本体２は、透明な燃焼材を主成分とする。ロウソク本体２が、透明の燃焼材を主成分とすることで、ロウソク本体２内に配置される装飾材３が視認可能となる。また、この燃焼材は、所定の強度を有し自立可能である。このようにロウソク本体２が自立可能であることで、ロウソク本体２を支持する容器等が不要であり、環境負荷を低減することができる。
【００２０】
このような燃焼材としては、特に限定される訳ではないが、例えばパラフィンワックス等を用いることができる。
【００２１】
（装飾材）
装飾材３としては、特に限定される訳ではないが、例えばプリザーブドフラワー、ドライフラワー、押し花、植物、花等を用いることができる。これらの中で、プリザーブドフラワーが特に好ましい。装飾材３としてプリザーブドフラワーを使用することでその良好な発色によりロウソク１の意匠性を向上させることができる。
【００２２】
（その他の構成）
第一実施形態に係るロウソク１は、図５に示すように、その中心に鉛直方向に設けられた芯５を有し、この芯５は溶融した蝋が毛管現象により上昇するよう構成されている。芯５の中心から装飾材３までの最短距離（ｄ）と芯５の中心からロウソク１の外表面までの最短距離（Ｄ）との比率（ｄ／Ｄ）の下限としては、０．５０が好ましく、０．５５がより好ましく、０．６０がさらに好ましい。一方、上記比率の上限としては、０．９５が好ましく、０．９０がより好ましく、０．８５がさらに好ましい。上記比率が上記下限未満であると、芯５に着いた炎により装飾材３が焼失してしまうおそれがある。一方、上記比率が上記上限を超えると、ロウソク１の製造容易性が低下するとともに、装飾材３がロウソク１の外表面から突出し意匠性が低下するおそれがある。
【００２３】
ロウソク本体２の外表面は任意の形状を有していてもよく、その形状は特に限定されることはないが、図１及び図２に示されるロウソク本体２はいわゆるカヌレ形状を有する。このようにロウソク本体２の外表面をカヌレ形状とすることで、ロウソク１の意匠性を向上させることができる。また、図３及び図４に示すように、ロウソク本体２の外表面は、いわゆるダイヤモンド形状であってもよく、図には示していないが立方体形状であってもよい。
【００２４】
別の態様では、ロウソク１の芯５と装飾材３との間に環状に形成した難燃性透明シート（不図示）を配置してもよい。このように構成することで装飾材３の焼失の可能性を抑制することができる。
【００２５】
このような難燃性透明シートを構成する材料としては、特に限定される訳ではないが、例えば難燃剤を添加した塩化ビニル樹脂、エチレン−酢酸ビニル共重合樹脂、塩化ビニリデン樹脂、ナイロン樹脂、ポリサルフォン、ポリフェニレンオキサイド、各種フッ素樹脂等を使用することができる。難燃剤としては、特に限定される訳ではないが、例えば燐含有化合物系難燃剤、ハロゲン含有化合物系難燃剤、スルホン酸金属塩系難燃剤、珪素含有化合物系難燃剤等を使用することができる。
【００２６】
さらに別の態様では、ロウソク１の芯５と装飾材３との間に有底容器（不図示）を配置してもよい。このように構成することで装飾材３の焼失を抑制することができる。
【００２７】
装飾材３には、感熱インキが塗布されているとよい。このように装飾材３に感熱インキを塗布することで、ロウソクの炎からの熱が装飾材３上の感熱インキに当たってこれが変色する。これにより、装飾材３の焼失の可能性を周囲に伝達することができる。
【００２８】
感熱インキの変色温度は、装飾材３の焼失温度未満であるとよい。感熱インキの変色温度を装飾材３の焼失温度未満とすることで、ロウソクの炎による装飾材３の焼失前に感熱インキの変色によりその周囲にいる人間に装飾材３の焼失の可能性を伝達することができる。
【００２９】
感熱インキの変色温度の下限としては、５０℃が好ましく、８０℃がより好ましく、１１０℃がさらに好ましい。一方、上記変色温度の上限としては、２５０℃が好ましく、２２０℃がより好ましく、１９０℃がさらに好ましい。上記変色温度を上記範囲とすることで、より効果的に装飾材３の焼失の可能性を伝達することができる。
【００３０】
感熱インキとしては、変色原理・変色機構など特に限定されず、現在知られているもの、現在用いられているものを使用することができる。
【００３１】
感熱インキとしては、熱可逆変色性を有する無機化合物を主成分とするサーモクロミック材料を用いてもよい。このようなサーモクロミック材料として、例えば、バナジン酸ビスマス系化合物、酸化ビスマス系化合物等を用いることができる。
【００３２】
また、感熱インキとして、発色剤と顕色剤を主成分とするサーモクロミック材料を用いてもよい。発色剤としては、特に限定される訳ではないが、例えばトリフェニルメタンフタリド系化合物、サリチリデンアニリン系化合物、スピロピラン系化合物、フロオラン系化合物、フェノチアジン系化合物、ロイコオーラミン系化合物、インドリノフタリド系化合物等を用いることができる。また、顕色剤としては、特に限定される訳ではないが、例えばフェノール系化合物、芳香族カルボン酸系化合物等を用いることができる。フェノール系化合物の具体例としては、ｐ−オクチルフェノール、ｐ−ｔｅｒｔ−ブチルフェノール、ｐ−フェニルフェノール、１，１−ビス（ｐ−ヒドロキシフェニル）プロパン、２，２−ビス（ｐ−ヒドロキシフェニル）プロパン、１，１−ビス（ｐ−ヒドロキシフェニル）ペンタン、１，１−ビス（ｐ−ヒドロキシフェニル）ヘキサン、２，２−ビス（ｐ−ヒドロキシフェニル）ヘキサン、１，１−ビス（ｐ−ヒドロキシフェニル）−２−エチル−ヘキサン、２，２−ビス（４−ヒドロキシ−３，５−ジクロロフェニル）プロパン、ジヒドロキシジフェニルエーテル等を挙げることができる。芳香族カルボン酸系化合物の具体例としては、ｐ−ヒドロキシ安息香酸、ｐ−ヒドロキシ安息香酸エチル、ｐ−ヒドロキシ安息香酸ブチル、３，５−ジ−ｔｅｒｔ−ブチルサリチル酸、３，５−ジ−α−メチルベンジルサリチル酸、及び上記カルボン酸の多価金属塩等を挙げることができる。
【００３３】
装飾材３には、フォトクロミック化合物を含有する感光インキが塗布されていてもよい。このように装飾材３に感光インキを塗布することで、ロウソクの炎からの光が装飾材３上の感光インキに当たってこれが変色する。これにより、装飾材３の焼失の可能性を周囲に伝達することができる。
【００３４】
感光インキとしては、変色原理・変色機構など特に限定されず、現在知られているもの、現在用いられているものを使用することができる。
【００３５】
感光インキに使用されるフォトクロミック化合物としては、特に限定される訳ではないが、例えばスピロオキサジン誘導体、ナフトピラン誘導体、クロメン誘導体、スピロピラン誘導体、フルギミド誘導体等を用いることができる。
【００３６】
なお、ロウソク本体２を形成する組成物中には、必要に応じて、芳香剤、着色剤、酸化防止剤、安定剤、防虫剤等が適宜配合されてもよい。
【００３７】
第一実施形態に係るロウソク１によれば、自立可能なロウソク本体２を備えるため、容器を必要とせず、環境負荷を抑えることができる。また容器が存在しないことから意匠性に優れる。
【００３８】
＜第二実施形態＞
図６は、第二実施形態に係るロウソク１に使用される消火部材１０の概略断面図である。第二実施形態に係るロウソク１は、芯５の外表面にさらに消火部材１０を備える点で第一実施形態に係るロウソク１と異なる。このように芯５の外表面に消火部材１０を備えることで、装飾材３の焼失を抑制することができる。ロウソク本体２及び装飾材３は、第一実施形態におけるものと同じであるため、ここでは説明を省略する。
【００３９】
消火部材１０は、筒状部１１と、筒状部１１に連続して形成された蓋部１２とを備える。消火部材１０は、一部又は全部が形状記憶金属又は形状記憶合金から構成されている。この消火部材１０をロウソク１の芯５に取り付け、ロウソク１の炎が消火部材１０に近づくと、その熱で消火部材１０を構成する形状記憶合金が変形し、蓋部１２が閉じられ消火される。
【００４０】
形状記憶合金としては、特に限定される訳ではないが、例えばニッケル（Ｎｉ）−チタン（Ｔｉ）合金、Ｎｉ−Ｔｉ−Ｘ（Ｘ＝コバルト（Ｃｏ）、銅（Ｃｕ）、バナジウム（Ｖ）、鉄（Ｆｅ））合金、Ｃｕ−亜鉛（Ｚｎ）合金、Ｃｕ−Ｚｎ−Ｘ（Ｘ＝硅素（Ｓｉ）、錫（Ｓｎ）、金（Ａｕ）、アルミニウム（Ａｌ）、ガリウム（Ｇａ））合金、Ｃｕ−Ａｌ合金、Ｃｕ−Ａｌ−Ｘ（Ｘ＝Ｎｉ、マンガン（Ｍｎ）、Ｆｅ、ベリリウム（Ｂｅ））合金、Ｃｕ−Ｓｎ合金等を用いることができる。これら形状記憶合金の中で、強度に優れ適切な形状回復温度を備える点でＮｉ−Ｔｉ合金が好ましい。
【００４１】
形状回復温度の下限としては、２３０℃が好ましく、２５０℃がより好ましく、２７０℃がさらに好ましい。一方、形状回復温度の上限としては、３５０℃が好ましく、３３０℃がより好ましく、３１０℃がさらに好ましい。このように形状回復温度を設定することで、消火部材１０により効果的に消火することができる。
【００４２】
第二実施形態に係るロウソク１は、形状記憶合金からなる消火部材１０を備えるため、ロウソク１の炎が消火部材１０に近づくとその熱で蓋部１２が閉じられ、その消火が可能である。
【実施例】
【００４３】
以下、実施例に基づき本発明を詳細に説明するが、この実施例の記載に基づいて本発明が限定的に解釈されるものではない。
【００４４】
［実施例１］
図７は、ロウソクの製造工程を示す工程図である。図７に基づいてロウソクを作製した。まず、流動パラフィン（ジェルワックスハードタイプ）を細断しホーロービーカーに入れた。これをＩＨヒーターで３０分かけて１３０℃まで加熱溶融し、その後、溶融したパラフィンを１１０℃まで冷却した。一辺の長さが５０ｍｍである立方形状の容器２０を準備し、その内表面にシリコーン系離型剤を薄く塗布した。容器２０の中心にパラフィンからなる固体ロウ材２１を配置し、その状態で溶融パラフィンを容器２０の八分目まで流し入れた。プリザーブドフラワー２３のガク及び茎を取り除いた後このプリザーブドフラワー２３を押し広げた。これを予め溶融パラフィンに浸漬した後、固体ロウ材２１と容器２０との間に花びらが外側を向くように配置した。プリザーブドフラワー２３と容器２０の中心との最短距離は２０ｍｍであった。溶融パラフィンに天然アロマ精油を加え、この溶融したロウ材を固体ロウ材２１と容器２０との間の残りのスペースに注ぎ込んだ。液状ロウ材２４を大気温度まで１時間かけてゆっくりと冷却し固体ロウ材２６とした後、これを容器２０から取り出した。その後、固体ロウ材２６の上面の中心付近に穴を開け、そこに蝋引きした芯２５を挿入し、底面に金属の座金を取り付けた。かかる工程で実施例１のロウソクを得た。
【００４５】
実施例１のロウソク１は、透明かつ自立可能であるとともに、ロウソク１の燃焼によってプリザーブドフラワー２３が焼失することはなかった。
【００４６】
［実施例２］
プリザーブドフラワー２３の表面に感熱インキを塗布すること以外は実施例１と同様にして実施例２のロウソク１を得た。感熱インキは、酸化ビスマス系化合物、シリコーン樹脂、キシレンを攪拌することで得られた。
【００４７】
実施例２のロウソク１は、透明かつ自立可能であるとともに、ロウソク１の燃焼がある一定のところまで進行した後、その熱により感熱インキが変色した。
【００４８】
［実施例３］
プリザーブドフラワー２３の表面に感光インキを塗布すること以外は実施例１と同様にして実施例３のロウソク１を得た。
【００４９】
実施例３のロウソク１は、透明かつ自立可能であるとともに、ロウソク１の燃焼がある一定のところまで進行した後、その炎の光により感熱インキが変色した。
【符号の説明】
【００５０】
１  ロウソク
２  ロウソク本体
３  装飾材
５  芯
１０  消火部材
１１  筒状部
１２  蓋部
２０  容器
２１  固形ロウ材
２３  花材
２４  液状ロウ材
２５  芯
２６  固形ロウ材
【図１】
2019112571.tif 000003
【図２】
2019112571.tif 000004
【図３】
2019112571.tif 000005
【図４】
2019112571.tif 000006
【図５】
2019112571.tif 000007
【図６】
2019112571.tif 000008
【図７】
2019112571.tif 000009